(57)【要約】【課題】両面印刷が指定されていても、両面印刷による画質劣化が予想される場合には両面印刷を行わず、片面印刷を行うことにより、画質劣化させることなく画像を再現する。【解決手段】スキャンユニット１０１は原稿をスキャンし、スキャン画像処理ユニット１０２はスキャンされた画像に対して裏うつりによる画質の劣化を判定し、コントロール／メモリユニット１０３に蓄積／管理される。ユニット１０３に蓄積されている画像を印刷する際に、裏うつりによる画質劣化が大きいと判定されたページについて、両面印刷すると裏うつりが目立つ可能性があることを操作パネル１０６に表示し、片面印刷がユーザにより選択されたとき、裏うつり防止のため、そのページを片面で印刷する。【選択図】図１
2015015519.tif 000002
【特許請求の範囲】
【請求項１】
複数ページからなる原稿の画像データを所定媒体の表面と裏面の両面に印刷する画像処理装置において、前記原稿の画像データを両面印刷する際に、第ｎページの画像データと第ｎ＋１ページの画像データに基づいて、裏うつりによる劣化度を判定する判定手段と、前記判定手段の判定結果に応じて、前記両面印刷を片面印刷に切り替える切り替え手段を備えることを特徴とする画像処理装置。
【請求項２】
前記判定手段は、前記各ページの各画素が文字または絵柄または下地の何れであるかを判定する第１の判定手段と、前記第１の判定手段の判定結果を基に、前記各ページが所定の領域に分割された各領域が文字または絵柄または下地の何れであるかを判定する第２の判定手段と、前記第ｎページにおける前記第２の判定手段の判定結果と、前記第ｎ＋１ページにおける前記第２の判定手段の判定結果を比較し、前記第ｎページと前記第ｎ＋１ページを重ねた場合の劣化度を判定する第３の判定手段を備えることを特徴とする請求項１記載の画像処理装置。
【請求項３】
前記劣化度は、紙の種類に応じた補正値により補正することを特徴とする請求項１または２記載の画像処理装置。
【請求項４】
前記判定手段の判定結果に応じて、ユーザーに警告を通知し、ユーザーが両面印刷または片面印刷の何れかを選択する選択手段を備えることを特徴とする請求項１記載の画像処理装置。
【請求項５】
複数ページからなる原稿の画像データを所定媒体の表面と裏面の両面に印刷する画像処理装置において、前記原稿の画像データを両面印刷する際に、第ｎページの画像データと第ｎ＋１ページの画像データに基づいて、裏うつりによる劣化度を判定する判定手段と、前記判定手段の判定結果に応じて、前記第ｎページの文字、絵柄を含む領域と、前記第ｎ＋１ページの文字、絵柄を含む領域が重ならないように、前記第ｎページと第ｎ＋１ページの余白を詰める処理手段を備えることを特徴とする画像処理装置。
【請求項６】
複数ページからなる原稿の画像データを所定媒体の表面と裏面の両面に印刷する画像処理方法において、前記原稿の画像データを両面印刷する際に、第ｎページの画像データと第ｎ＋１ページの画像データに基づいて、裏うつりによる劣化度を判定する判定工程と、前記判定工程の判定結果に応じて、前記両面印刷を片面印刷に切り替える切り替え工程を備えることを特徴とする画像処理方法。
【請求項７】
請求項６記載の画像処理方法をコンピュータに実現させるためのプログラム。
【発明の詳細な説明】
【技術分野】
【０００１】
本発明は、両面印刷を行う画像処理装置、画像処理方法およびプログラムに関する。
【背景技術】
【０００２】
両面印刷時に、記録用紙の裏面への裏うつりを防止する技術がある。例えば、特許文献１では、表面と裏面の画像の間の相互関係を基に裏うつりによる画質劣化が発生するか否かを予測し、発生する場合は裏うつりを防止している。
【発明の概要】
【発明が解決しようとする課題】
【０００３】
しかし、上記したように、裏うつりによる画質劣化が予想される場合、濃度の変更等の画像処理を行うため、原稿画像と異なる画像を出力することになるという問題があった。
【０００４】
本発明は上記した課題に鑑みてなされたもので、
本発明の目的は、両面印刷が指定されていても、両面印刷による画質劣化が予想される場合には両面印刷を行わず、片面印刷を行うことにより、画質劣化させることなく画像を再現する画像処理装置、画像処理方法およびプログラムを提供することにある。
【課題を解決するための手段】
【０００５】
本発明は、複数ページからなる原稿の画像データを所定媒体の表面と裏面の両面に印刷する画像処理装置において、前記原稿の画像データを両面印刷する際に、第ｎページの画像データと第ｎ＋１ページの画像データに基づいて、裏うつりによる劣化度を判定する判定手段と、前記判定手段の判定結果に応じて、前記両面印刷を片面印刷に切り替える切り替え手段を備えることを最も主要な特徴とする。
【発明の効果】
【０００６】
本発明によれば、表面と裏面とで画像が重なることにより画質劣化が予想される場合は、重ならないように印刷するため、裏写りによる画質劣化を防止することができる。
【図面の簡単な説明】
【０００７】
【図１】本発明の実施例の画像処理装置の構成を示す。
【図２】裏うつりによる画質劣化度判定部の構成を示す。
【図３】画素毎の文字／絵柄／下地の判定を説明する図である。
【図４】領域毎の文字／絵柄／混在／下地の判定を説明する図である。
【図５】表裏を比較して劣化度の判定を説明する図である。
【図６】紙種による劣化度の補正について説明する図である。
【図７】裏うつりによる劣化度が高いことを通知する操作パネルの表示例を示す。
【図８】裏うつり防止処理を説明する図である。
【図９】余白を詰めて裏うつりを防止する際の操作パネルの表示例を示す。
【図１０】余白を詰めて裏うつりを防止する処理を説明する図である。
【発明を実施するための形態】
【０００８】
以下、発明の実施の形態について図面により詳細に説明する。
【実施例１】
【０００９】
図１は、本発明の実施例の画像処理装置の構成を示す。図１において、１０１はスキャンユニット、１０２はスキャン画像処理ユニット、１０３はコントロール／メモリユニット、１０４は印刷画像処理ユニット、１０５は印刷ユニット、１０６は操作パネルである。また、スキャン画像処理ユニット１０２は、地肌除去部１０７、フィルタ処理部１０８、色補正部１０９、裏うつりによる画質劣化度判定部１１０を含んで構成され、コントロール／メモリユニット１０３は裏うつり防止処理部１１１を含んで構成される。
【００１０】
スキャンユニット１０１でスキャンされた原稿の画像データは、スキャン画像処理ユニット１０２により所定の画像処理が施され、コントロール／メモリユニット１０３に蓄積／管理される。その際に、画質劣化度判定部１１０は、裏うつりによる画質の劣化を判定する。
【００１１】
コントロール／メモリユニット１０３に蓄積されている画像を転写紙などの所定媒体に印刷する際に、裏うつりによる画質劣化が大きいと判定されたページについて、両面印刷すると裏うつりが目立つ可能性があることを操作パネル１０６に表示し、そのまま両面印刷するか、あるいは裏うつり防止のため片面ずつ印刷するなどを選択させる。
【００１２】
図２は、裏うつりによる画質劣化度判定部の構成を示す。判定部２０１は、各ページの画素毎に文字／絵柄／下地を判定する。判定部２０２は、その判定結果を基に、領域分割された領域毎に文字／絵柄／混在／下地を判定し、メモリに記録しておく。
【００１３】
判定部２０３は、前ページ（ｎページ）の領域毎の文字／絵柄／混在／下地の判定結果と、現在のページ（ｎ＋１ページ）の領域毎の文字／絵柄／混在／下地の判定結果を比較し、前ページと現在のページを重ねた場合の劣化度を判定する。
【００１４】
図３は、画素毎の文字／絵柄／下地の判定を説明する図である。まず、処理対象となる画素について文字部か絵柄部かを検出する。この検出手段としては、画像処理で用いられる公知の像域分離処理を用いればよい。次に、注目画素の濃度を求める。図３に示すように、ＣＭＹＫ、ＲＧＢ、モノクロに応じて演算し、判定式に基づいて、画素毎に文字／絵柄／下地を判定する。
【００１５】
図４は、領域毎の文字／絵柄／混在／下地の判定を説明する図である。図４（ａ）に示すように、画像を一定ライン数の帯状の領域に分割し、各領域の文字／絵柄／混在／下地を判定し、メモリに記録しておく。各領域のライン数は記憶できるメモリ量に応じて変更する。各領域を小さくすると、領域判定結果の記憶に多くのメモリが必要となるが、最終的な裏うつりの判定精度が向上する。
【００１６】
図４（ｂ）に示すように、領域毎の文字／絵柄／混在／下地の判定を行う。ここで、ページ全体に対する下地領域の割合を記憶しておく。表と裏を合わせて下地領域が１ページ分以上の場合は、下地部分を除去しシフトすることで、表と裏で文字や絵柄部が重ならないようにする（図９で説明する）。
【００１７】
図５は、表裏を比較して劣化度の判定を説明する図である。前ページの領域毎の文字／絵柄／混在／下地の判定結果と、現在のページの領域毎の文字／絵柄／混在／下地の判定結果を比較し、前ページと現在のページを重ねた場合の劣化度を図５より求める。図５の数値は一例であり、調整できるものである。
【００１８】
ジョブ開始の１枚目は劣化度が０となるように、前ページの領域毎の文字／絵柄／混在／下地の判定結果を全部下地にしてからジョブを開始する。
【００１９】
図６は、紙種による劣化度の補正について説明する図である。全ての領域の劣化度の和を１ページの領域数で割り、劣化度の平均値を求める。さらに、転写紙の厚さに応じて、図６に示すように補正値を加える。これらの数値は一例であり、調整できるものである。裏うつりしにくい転写紙を用いる場合、裏うつり防止のために片面印刷を行う機会を減らすことができる。
【００２０】
図７は、裏うつりによる劣化度が高いことをユーザーに通知する図である。裏うつり防止度を０〜１００の範囲で決めておく。０は、裏うつり防止をしない、１００は、積極的に裏うつりの防止を行う。ユーザーが選択できるようにしてもよいし、固定でもよい。
【００２１】
図１のコントロール＆メモリユニット１０３から画像を出力するときに、両面印刷か、片面印刷かを決める。裏面を印刷する際に、裏うつり防止度＋そのページの図５で求めた劣化度＞１００であれば、図７に示す警告を操作パネル１０６により通知し、ユーザーは操作パネル１０６の警告をみて、片面印刷にとするか両面印刷にするかを決定する。なお、警告を通知するか否かをユーザーが予め設定できる。また、警告を通知しないとした場合、裏うつり劣化度が高いページを片面で印刷するか両面で印刷するかもユーザーが予め設定できるものとする。
【００２２】
図８は、裏うつり防止処理を説明する図である。図８の例では、原稿が４ページからなり、その内の３／４ページの劣化度が高い場合に、裏うつり防止のため片面ずつ印刷する。
【００２３】
印刷結果に示すように、３／４ページ目を２枚目（表）に印刷した結果、裏うつり劣化度が高いので、両面印刷を片面印刷に切り替える。２枚目の裏面のページ（４／４ページ）の代わりに白紙を出力し、片面の印刷物が出来上がるようにする。印刷しようとしたページ（４／４ページ）は、次の転写紙（３枚目）の表にシフトする。
【００２４】
図９は、余白を詰めて裏うつりを防止する際の操作パネルの表示例を示す。図７において、操作パネル１０６に、裏うつり抑止の警告を通知するタイミングで、さらに図４の下地領域の割合が表と裏を合わせて１ページ分以上の場合、警告を図９に示す表示内容に変更する。
【００２５】
図１０は、余白を詰めて裏うつりを防止する処理を説明する図である。図１０の原稿例では、３／４ページの劣化度が高い。従って、４／４ページを２枚目の裏に印刷すると裏うつりが発生する。
【００２６】
そこで、図９の操作パネル１０６上で、「余白を詰めて両面印刷」を選択した場合、コントロール／メモリユニット１０３は、裏うつり防止処理として、図１０に示すように、３／４ページ（２枚目の表面）の下地領域を削除し、原稿の画像データを上に詰める。４／４ページ（２枚目の裏面）の下地領域も削除し、原稿の画像データを下に詰める。これにより、表と裏とで文字や絵柄を含む領域が重ならないので、裏うつりによる画質の劣化が防止されると共に用紙を節約することができる。
【００２７】
以上説明したように、本発明では、両面印刷時の裏写り抑制の処理に際して、表面と裏面とで画像が重なることにより画質劣化が予想される部分は、画像が重ならないように印刷するので、裏写りによる画質劣化を防止することができる。
【００２８】
本発明は、前述した実施例の機能を実現するソフトウエアのプログラムコードを記録した記憶媒体を、システムあるいは装置に供給し、そのシステムあるいは装置のコンピュータ（ＣＰＵやＭＰＵ）が記憶媒体に格納されたプログラムコードを読出し実行することによっても達成される。この場合、記憶媒体から読出されたプログラムコード自体が前述した実施例の機能を実現することになる。プログラムコードを供給するための記憶媒体としては、例えば、ハードディスク、光ディスク、光磁気ディスク、不揮発性のメモリカード、ＲＯＭなどを用いることができる。また、コンピュータが読出したプログラムコードを実行することにより、前述した実施例の機能が実現されるだけでなく、そのプログラムコードの指示に基づき、コンピュータ上で稼働しているＯＳ（オペレーティングシステム）などが実際の処理の一部または全部を行い、その処理によって前述した実施例の機能が実現される場合も含まれる。さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施例の機能が実現される場合も含まれる。また、本発明の実施例の機能等を実現するためのプログラムは、ネットワークを介した通信によってサーバから提供されるものでも良い。
【符号の説明】
【００２９】
１０１  スキャンユニット
１０２  スキャン画像処理ユニット
１０３  コントロール／メモリユニット
１０４  印刷画像処理ユニット
１０５  印刷ユニット
１０６  操作パネル
１０７  地肌除去部
１０８  フィルタ処理部
１０９  色補正部
１１０  裏うつりによる画質劣化度判定部
１１１  裏うつり防止処理部
【先行技術文献】
【特許文献】
【００３０】
【特許文献１】特開２０００−５９６３０号公報
【図１】
2015015519.tif 000003
【図２】
2015015519.tif 000004
【図３】
2015015519.tif 000005
【図４】
2015015519.tif 000006
【図５】
2015015519.tif 000007
【図６】
2015015519.tif 000008
【図７】
2015015519.tif 000009
【図８】
2015015519.tif 000010
【図９】
2015015519.tif 000011
【図１０】
2015015519.tif 000012